(57)【要約】【課題】家庭，商店，事務所，ホテル，病院等の各種施設から排出されるごみの量は膨大なものになっているが，その原因の一つに，ごみがかさばり，容積が大きくなっていることが挙げられる。そのため，排出する側も回収する側も，運搬に多大の労力と時間がかかり，ごみ集積場があふれる等の問題がある。【解決手段】ごみ箱の開閉蓋の上方に，逆進防止機能付きのトリガー式ロッド押出し機構を設け，開閉蓋を貫通するロッドの下端に押圧板を設けたものである。ロッド押出し機構として，市販のコーキングガン用のロッド押出し機構を利用することも可能で，非常に安価に，操作簡単な圧縮機能付きごみ箱を提供することが出来，ごみの減容化に寄与すること大である。【選択図】  図１
2005112629.tif 000002
【特許請求の範囲】
【請求項１】
上部に固着・開放可能な開閉蓋を備えたごみ箱において，前記開閉蓋の上方に，逆進防止機能付きのトリガー式ロッド押出し機構を設け，前記ロッドは前記開閉蓋を貫通し，同ロッドの下端に押圧板を設けたことを特徴とする圧縮機能付ごみ箱
【請求項２】
前記開閉蓋に，前記ロッドの押圧力を受けるための補強材を設けたことを特徴とする請求項１記載の圧縮機能付ごみ箱
【請求項３】
下部に固着・開放可能な開閉蓋を備え，上部にごみの投入口を有すごみ箱において，同ごみ箱の天井部の上方に，逆進防止機能付きのトリガー式ロッド押出し機構を設け，前記ロッドは前記天井部を貫通し，同ロッドの下端に押圧板を設けたことを特徴とする圧縮機能付ごみ箱
【請求項４】
上部に固着・開放可能な開閉蓋を備えた漬物容器において，前記開閉蓋の上方に，逆進防止機能付きのトリガー式ロッド押出し機構を設け，前記ロッドは前記開閉蓋を貫通し，同ロッドの下端に押圧板を設けたことを特徴とする圧縮機能付漬物容器
【発明の詳細な説明】
【技術分野】
【０００１】  本発明は，家庭，商店，事務所，ホテル，病院等のごみ箱において，ごみを減容化するための圧縮機能を備えたごみ箱，或いは，家庭等における漬物製造に用いる圧縮機能付き漬物容器に関する。
【背景技術】
【０００２】  近年ごみの排出において，燃えるごみ，燃えないごみ（びん，缶）等の分別排出はかなり徹底されて来たが，減容化については，あまり行なわれていない。
【発明の開示】
【発明が解決しようとする課題】
【０００３】  家庭，商店，事務所，ホテル，病院等の各種施設から排出されるごみの量は膨大なものになっているが，その原因の一つに，ごみがかさばり，容積が大きくなっていることが挙げられる。そのため，排出する側も回収する側も，運搬に多大の労力と時間がかかり，ごみ集積場があふれる等の問題がある。
【課題を解決するための手段】
【０００４】  本発明の請求項１に係る発明は，上部に固着・開放可能な開閉蓋を備えたごみ箱において，前記開閉蓋の上方に，逆進防止機能付きのトリガー式ロッド押出し機構を設け，前記ロッドは前記開閉蓋を貫通し，同ロッドの下端に押圧板を設けたものである。【０００５】  本発明の請求項２に係る発明は，請求項１において，前記開閉蓋に，前記ロッドの押圧力を受けるための補強材を設けたものである。【０００６】  本発明の請求項３に係る発明は，下部に固着・開放可能な開閉蓋を備え，上部にごみの投入口を有すごみ箱において，同ごみ箱の天井部の上方に，逆進防止機能付きのトリガー式ロッド押出し機構を設け，前記ロッドは前記天井部を貫通し，同ロッドの下端に押圧板を設けたものである。【０００７】  本発明の請求項４に係る発明は，上部に固着・開放可能な開閉蓋を備えた漬物容器において，前記開閉蓋の上方に，逆進防止機能付きのトリガー式ロッド押出し機構を設け，前記ロッドは前記開閉蓋を貫通し，同ロッドの下端に押圧板を設けたものである。
【発明の効果】
【０００８】  本発明の請求項１に係る発明では，逆進防止機能付きのトリガー式ロッド押出し機構をごみの圧縮機構として用いる。従って，市販のコーキングガンや簡易バイス（万力）用等のロッド押出し機構を利用することも可能で，非常に安価に，操作簡単な圧縮機能付きごみ箱を提供することが出来，ごみの減容化に寄与すること大である。【０００９】  本発明の請求項２に係る発明は，請求項１のごみ箱の開閉蓋に，ロッドの押圧力を受けるための補強材を設ける。従って，市販のポリ容器等のごみ箱を利用して，簡単，安価に，圧縮機能付きごみ箱を提供することが可能で，ごみの減容化に寄与すること大である。【００１０】  本発明の請求項３に係る発明は，卓上式の小型のごみ箱として便利である。更に，適切なデザインを加えれば，マスコットとしても愛用される。【００１１】  本発明の請求項４に係る発明は，漬物を漬ける為の重石が入手困難な時勢において，特に家庭用の漬物容器として便利な商品となる。
【発明を実施するための最良の形態】
【実施例１】
【００１２】  図１は実施例１に係る圧縮機能付きごみ箱の正断面図，図２はそのＩＩ−ＩＩ矢視図，図３，図４は作用の説明図である。これらの図において，１はごみ箱，２は開閉蓋であるが，本実施例では，市販のポリ容器製ごみ箱を利用している。３ａは止め金具，３ｂはフック，４は開閉用のレバーである。開閉蓋２の上方には，逆進防止機能付きのトリガー式ロッド押出し機構５が取付けられている。このトリガー式ロッド押出し機構５として，本実施例では，市販のコーキングガン用のロッド押出し機構を利用している。６はロッド，７はロッド６の下端に取付けられた押圧板である。８はロッド押出し機構５を取付ける為の座盤，９はロッド５の押圧力を受ける補強材である。次いで，トリガー式ロッド押出し機構５について説明する。１０は固定レバー，１１はトリガー，１２はトリガー１１の回転軸，１３はトリガー１１の先端でチャッキングプレート１４ａに係合する押圧ピン，１４ｂはロッド貫通孔，１５はバネ，１６はストッパー，１７はごみである。【００１３】  ごみ箱１にごみ１７を投入後，止め金具３ａをフック３ｂに掛け，レバー４を引上げて，開閉蓋２をごみ箱１に固着する。次いで，トリガー１１を矢印イの方向へ引上げると，その先端の押圧ピン１３に係合するチャッキングプレート１４ａは，図３の（ａ）の状態から（ｂ）のように傾き，ロッド貫通孔１４ｂの左上端と右下端でロッド６を拘束しながら下方へ移動する。トリガー１１を緩めると，バネ１５の力でチャッキングプレート１４は水平になり，ロッド６の拘束を解除して，図３（ｂ）の鎖線の位置へ復元する。このように，トリガー１１の引き戻しを繰返すことによって，ロッド６は図１に鎖線で示すように下方へ押出され，下端の圧縮板７でごみ１７を圧縮し減容する。ロッド６は，ストッパー１６で上方への逆進を阻止され，ごみ１７の圧縮状態を保持する。ごみ１７を排出するときは，ストッパー１６を矢印ロの方向へ押し下げて，ロッド６への拘束力を解除して押圧力をゆるめ，レバー４を押下げて止め金具３ａをフック３ｂからはずして，開閉蓋２をごみ箱１から開放して排出する。なお，ストッパー１６の逆心防止は，前述のチャッキングプレートと同様の作動原理で行なわれる。【００１４】  図４は別のタイプのロッド押出し機構の作用説明図で，（ａ）は側面図，（ｂ），（ｃ）は（ａ）のｂ−ｂ矢視図である。６はロッド，１８はロッド６の側面に固設されたラック，１９はラック１８と噛合う逆転防止機能付きのピニオンである。
ピニオン１９を矢印ハの方向に回すと，これに噛合うラック１８に固設されたロッド６は下方へ押出されるが，ピニオン１９には逆転防止機能があるため，ロッド６は逆戻りしない。このようにして，前述（図１）のようにごみは圧縮減容される。ごみ１７を排出するときは，矢印ニのようにロッド６を回して，ラック１８をピニオン１９との噛合わせから外して，ロッド６の押圧力をゆるめ，開閉レバー４を押下げて止め金具３ａをフック３ｂからはずして，開閉蓋２をごみ箱１から開放して排出する。なお，ロッド６の押出し機能を回復するには，矢印ホのようにロッド６を回してラック１８をピニオン１９と噛合わせれば良い。【００１５】  本実施例では，市販のポリ容器製のごみ箱の開閉蓋２を補強材９で補強し，これに逆進防止機能付きのトリガー式ロッド押出し機構として，市販のコーキングガン用のロッド押出し機構を取付けているが，簡易バイス（万力）用のロッド押出し機構等を利用しても良い。このように市販品を利用することが出来るので，非常に安価に，操作簡単な圧縮機能付きごみ箱を提供することが可能で，ごみの減容化に寄与すること大である。勿論，ごみ箱も逆進防止機能付きのトリガー式ロッド押出し機構も，オリジナル製品として製作して良いことは言うまでもない。
【実施例２】
【００１６】  図５は実施例２に係る圧縮機能付きごみ箱の正断面図である。２０は上部にごみの投入口２１を備えたごみ箱，２２はごみ箱２０の下部にネジ部２３で取付けられた開閉蓋である。ごみ箱２０の天井部２４の上方には，逆進防止機能付きのトリガー式ロッド押出し機構として，コーキングガン用のロッド押出し機構２５が取付けられている。ロッド押出し機構２５の詳細は実施例１と同様の為説明を省略する。２６はロッド，２７はロッドの下端に取付けられた押圧板，２８はごみである。【００１７】  実施例１と同様に，ロッド押出し機構２５のトリガーの引き戻しを繰返すことによってロッド２６が下方へ移動し，圧縮板２７でごみ２８を圧縮・減容する。ごみ２８を排出するときは，実施例１と同様にしてロッド２６の押圧力を緩めた後，開閉蓋２２を回してネジ部２３から外して開放し排出する。
本実施例は，卓上式の小型のごみ箱として便利である。更に，適切なデザインを加えれば，マスコットとしても愛用される。
【実施例３】
【００１８】  図６は実施例３に係る圧縮機能付き漬物容器の正断面図，図７はそのＶＩＩ−ＶＩＩ矢視図である。これらの図において，３０は漬物容器，３１は開閉蓋，３２は補強材，３３ａは止め金具，３３ｂはフック，３４は開閉用のレバーである。開閉蓋３１の上方には，逆進防止機能付きのトリガー式ロッド押出し機構として，コーキングガン用の押出し機構３５が取付けられている。ロッド押出し機構３５の詳細は実施例１と同様のため説明を省略する。３６はロッド，３７は押圧板，３９は漬物である。【００１９】  実施例１と同様に，ロッド押出し機構３５のトリガーの引き戻しを繰返すことによってロッド３６が下方へ移動し，圧縮板３７で漬物３９を押圧し，逆進防止機能によりその状態を保持する。
本実施例は，漬物を漬ける為の重石が入手困難な時勢において，特に家庭用の漬物容器として便利な商品となる。
【図面の簡単な説明】
【００２０】
【図１】実施例１に係る圧縮機能付きごみ箱の正断面図
【図２】図１のＩＩ−ＩＩ矢視図
【図３】ロッド押出し機構の作用の説明図
【図４】別タイプのロッド押出し機構の作用説明図
【図５】実施例２に係る圧縮機能付きごみ箱の正断面図
【図６】実施例３に係る圧縮機能付き漬物容器の正断面図
【図７】図６のＶＩＩ−ＶＩＩ矢視図
【符号の説明】
【００２１】  １・・・ごみ箱
２・・・開閉蓋
３ａ・・・止め金具
３ｂ・・・フック
４・・・開閉用のレバー
５・・・逆進防止機能付きのトリガー式ロッド押出し機構
６・・・ロッド
７・・・押圧板
９・・・補強材
１０・・・固定レバー
１１・・・トリガー
１２・・・回転軸
１３・・・押圧ピン
１４ａ・・・チャッキングプレート
１４ｂ・・・ロッド貫通孔
１５・・・バネ
１６・・・ストッパー
１７・・・ごみ
１８・・・ラック
１９・・・逆転防止機能付きピニオン
２０・・・ごみ箱
２１・・・ごみの投入口
２２・・・開閉蓋
２３・・・ネジ部
２４・・・天井部
２５・・・逆進防止機能付きのトリガー式ロッド押出し機構
２６・・・ロッド
２７・・・押圧板
２８・・・ごみ
３０・・・漬物容器
３１・・・開閉蓋
３２・・・補強材
３３ａ・・・止め金具
３３ｂ・・・フック
３４・・・開閉用のレバー
３５・・・逆進防止機能付きのトリガー式ロッド押出し機構
３６・・・ロッド
３７・・・押圧板
３９・・・漬物
【図１】
2005112629.tif 000003
【図２】
2005112629.tif 000004
【図３】
2005112629.tif 000005
【図４】
2005112629.tif 000006
【図５】
2005112629.tif 000007
【図６】
2005112629.tif 000008
【図７】
2005112629.tif 000009